(57)【要約】  建築用パネル（１）が、建築用パネルの枠組み（２）が部屋に面する側（３）および建物に面する側（４）を有するように、部屋の天井または壁に取り付けられるように適合される。織物（５）は、枠組み（２）の部屋に面する側（３）にわたって延在し、枠組み（２）に面する第１の表面（６）と、全体に前記部屋から見ることができる第２の表面（７）とを有する。メッシュ（８）は、織物（５）の第１の表面（６）上に積層され、複数のコネクタ（９）によって枠組み（２）に取り付けられている。各コネクタ（９）は、メッシュ（８）の部分と織物（５）との間に挿入されるグリッパの形態の第１の端部（１０）と、枠組み（２）に取り付けられる第２の端部（１３）とを有する。
2020518746.tif 000002
【特許請求の範囲】
【請求項１】
部屋の天井または壁に取り付けられるように適合されており、建築用パネルの枠組み（２）が部屋に面する側（３）と建物に面する側（４）とを有する、建築用パネル（１）であって、織物（５）が、前記枠組み（２）の前記部屋に面する側（３）にわたって延在し、前記織物（５）が、前記枠組み（２）に面する第１の表面（６）と、前記部屋から全体に見ることができる第２の表面（７）とを有する建築用パネル（１）であって、メッシュ（８）が前記織物（５）の前記第１の表面（６）上に積層され、前記メッシュ（８）が複数のコネクタ（９）によって枠組み（２）に取り付けられ、各コネクタ（９）が、前記メッシュ（８）の部分（１２）と前記織物（５）との間に挿入されたグリッパ（１１）の形態の第１の端部（１０）と、前記枠組み（２）に取り付けられた第２の端部（１３）とを有することを特徴とする、建築用パネル（１）。
【請求項２】
各コネクタ（９）の前記第１および第２の端部（１０、１３）が、引張ばね（１４）によって相互に結合されている、請求項１に記載の建築用パネル。
【請求項３】
各コネクタ（９）が、前記コネクタ（９）の前記第１の端部（１０）で前記グリッパ（１１）を形成する第１のフック（３４）と一体に形成される第１の端部を有し、前記コネクタ（９）の前記第２の端部（１３）で第２のフック（３５）と一体に形成される第２の端部を有する引張コイルばね（１５）の形態を有し、前記第２のフックが前記枠組み（２）に取り付けられている、請求項１または２に記載の建築用パネル。
【請求項４】
前記メッシュ（８）が弾性材料から形成され、前記枠組み（２）に取り付けられる前に、その弛緩状態にある場合、前記メッシュ（８）が平坦な表面を形成する、請求項１から３のいずれか一項に記載の建築用パネル。
【請求項５】
前記メッシュ（８）の剛性が、前記織物（５）の剛性および面重量に適合されており、その結果、前記織物（５）の前記第２の表面（７）が滑らかで均等に延在する、請求項１から４のいずれか一項に記載の建築用パネル。
【請求項６】
前記メッシュ（８）が、接着剤（１６）によって前記織物（５）の前記第１の表面（６）上に積層されており、前記接着剤（１６）が、前記メッシュ開口部（１７）によって覆われている前記織物（５）を覆わないか、または前記織物（５）の部分のみを覆う、請求項１から５のいずれか一項に記載の建築用パネル。
【請求項７】
前記メッシュ（８）が、加熱積層によって前記織物（５）の前記第１の表面（６）上に積層されており、スリットフィルムネットまたはウェブの形態の熱活性化接着剤（１６）が、前記メッシュ（８）と前記織物（５）との間に配置されている、請求項１から６のいずれか一項に記載の建築用パネル。
【請求項８】
前記枠組み（２）の前記部屋に面する側（３）が、少なくとも１つの凹面領域（１８）を含み、前記枠組み（２）の前記部屋に面する側（３）の各凹面領域（１８）において、前記メッシュ（８）が、少なくとも１つのコネクタ（９）によって前記枠組み（２）に取り付けられている、請求項１から７のいずれか一項に記載の建築用パネル。
【請求項９】
前記枠組み（２）が、前記メッシュ（８）および前記織物（５）の前記積層体（２２）によって追従される表面輪郭（２１）を少なくとも実質的に形成する複数の十字形梁（１９、２０）を含む、請求項１から８のいずれか一項に記載の建築用パネル。
【請求項１０】
各梁（１９、２０）が、前記梁（１９、２０）の長手方向に互いに離隔配置され、かつコネクタ（９）の前記第２の端部（１３）が前記梁（１９、２０）と結合するために係合することができる複数の固定切欠き（２３）を備え付ける、請求項９に記載の建築用パネル。
【請求項１１】
各固定切欠き（２３）で、コネクタ切欠き（２４）が前記梁（１９、２０）の縁部（２５）内に形成され、前記縁部（２５）が前記メッシュ（８）および前記織物（５）の前記積層体（２２）を支持し、前記コネクタ切欠き（２４）が、前記メッシュ（８）を前記枠組み（２）に取り付けるコネクタ（９）を受け取るように適合されている、請求項１０に記載の建築用パネル。
【請求項１２】
前記枠組み（２）が、輪郭部材（２７、２８）によって構成される枠（２６）によって囲まれ、各輪郭部材（２７、２８）は、前記輪郭部材（２７、２８）の部屋に面する側（３０）を前記輪郭部材（２７、２８）の建物に面する側（３１）に結合する丸い外縁（２９）を有し、前記織物（５）が前記輪郭部材（２７、２８）の前記丸い外縁（２９）の周りに曲げられ、前記織物（５）の縁部（３２）が前記輪郭部材（２７、２８）の前記建物に面する側（３１）に固定されている、請求項１から１１のいずれか一項に記載の建築用パネル。
【請求項１３】
前記輪郭部材（２７、２８）の前記丸い外縁（２９）の周りに曲げられる前記織物（５）の前記縁部（３２）が、前記メッシュ（２８）と積層されず、その結果、前記メッシュ（８）の縁（３３）が前記輪郭部材の前記部屋に面する側（３０）に隣接して配置される、請求項１２に記載の建築用パネル。
【請求項１４】
建築用パネル（１）の枠組み（２）が部屋に面する側（３）と建物に面する側（４）とを有するように、部屋の天井または壁に取り付けられるように適合された建築用パネル（１）を製造する方法であって、それによって、織物（５）が、前記枠組み（２）の前記部屋に面する側（３）にわたって延ばされ、前記織物（５）が、前記枠組み（２）に面する第１の表面（６）と、前記部屋から全体に見ることができる第２の表面（７）とを有する方法であって、前記枠組み（２）の前記部屋に面する側（３）にわたって前記織物（５）を延ばす前に、メッシュ（８）が前記織物（５）の前記第１の表面（６）上に積層され、それによって、前記枠組み（２）の前記部屋に面する側（３）にわたって前記織物（５）を延ばした後、前記メッシュ（８）が複数のコネクタ（９）によって枠組み（２）に取り付けられ、それによって、各コネクタ（９）が、前記メッシュ（８）の部分（１２）と前記織物（５）との間に挿入されたグリッパ（１１）の形態の第１の端部（１０）と、前記枠組み（２）に取り付けられた第２の端部（１３）とを有することを特徴とする、建築用パネル（１）を製造する方法。
【請求項１５】
各コネクタ（９）の前記第１および第２の端部（１０、１３）が、前記コネクタ（９）によって前記枠組み（２）に前記メッシュ（８）を取り付けることによって張力がかけられている各ばね（１４）によって、相互に結合される、請求項１４に記載の建築用パネルを製造する方法。
【請求項１６】
前記メッシュ（８）が、接着剤（１６）によって前記織物（５）の前記第１の表面（６）上に積層されており、その結果、前記接着剤が、前記メッシュ開口部（１７）によって覆われている前記織物（５）を覆わないか、または前記織物（５）の部分のみを覆う、請求項１４または１５に記載の建築用パネルを製造する方法。
【請求項１７】
前記メッシュ（８）が、加熱積層によって前記織物（５）の前記第１の表面（６）上に積層されており、それによって、スリットフィルムネットまたはウェブの形態の熱活性化接着剤（１６）が、前記メッシュ（８）と前記織物（５）との間に配置されている、請求項１４から１６のいずれか一項に記載の建築用パネルを製造する方法。
【請求項１８】
前記枠組み（２）の前記部屋に面する側（３）が、少なくとも１つの凹面領域（１８）を含み、それによって、前記枠組み（２）の前記部屋に面する側（３）の各凹面領域（１８）において、前記メッシュ（８）が、少なくとも１つのコネクタ（９）によって前記枠組み（２）に取り付けられている、請求項１４から１７のいずれか一項に記載の建築用パネルを製造する方法。
【請求項１９】
前記枠組み（２）が、前記メッシュ（８）および前記織物（５）の積層体（２２）によって、追従されるべき表面輪郭（２１）を少なくとも実質的に形成する複数の十字形梁（１９、２０）を含み、それによって、各梁（１９、２０）が、前記梁（１９、２０）の長手方向に互いに離隔配置される複数の固定切欠き（２３）を備え付け、それによって、各コネクタ（９）の前記第２の端部（１３）が、前記梁（１９、２０）との結合のために各固定切欠き（２３）と係合される、請求項１４から１８のいずれか一項に記載の建築用パネルの製造方法。
【請求項２０】
各固定切欠き（２３）において、前記梁（１９、２０）の縁部（２５）内にコネクタ切欠き（２４）が形成され、それによって、前記メッシュ（８）および前記織物（５）の前記積層体（２２）が、前記縁部（２５）によって支持されるように配置され、それによって、前記メッシュ（８）を前記枠組み（２）に取り付けるために、各コネクタ（９）が、各コネクタ切欠き（２４）内に配置される、請求項１４から１９のいずれか一項に記載の建築用パネルを製造する方法。
【請求項２１】
前記枠組み（２）が、輪郭部材（２７、２８）によって構成される枠（２６）によって囲まれ、それによって、各輪郭部材（２７、２８）は、前記輪郭部材（２７、２８）の部屋に面する側（３０）を前記輪郭部材（２７、２８）の建物に面する側（３１）に結合する丸い外縁（２９）を有し、それによって、好適には前記コネクタ（９）によって前記メッシュ（８）を前記枠組み（２）に取り付けた後、前記織物（５）が前記輪郭部材（２７、２８）の前記丸い外縁（２９）の周りに曲げられ、前記織物（５）の縁部（３２）が前記輪郭部材（２７、２８）の前記建物に面する側（３１）に固定される、請求項１４から２０のいずれか一項に記載の建築用パネルを製造する方法。
【請求項２２】
前記輪郭部材（２７、２８）の丸い外縁（２９）の周りに前記織物（５）を曲げる前に、前記丸い外縁（２９）の周りに前記織物（５）を曲げなければならない前記織物（５）の縁部（３２）が前記メッシュ（８）から剥離され、前記メッシュ（８）の前記剥離された縁部が切断され、その結果、前記織物（５）の前記縁部（３２）が前記丸い外縁（２９）の周りに曲げられ、前記輪郭部材（２７、２８）の前記建物に面する側（３１）に固定された場合、前記メッシュ（８）の縁（３３）が、前記輪郭部材（２７、２８）の前記部屋に面する側（３０）に隣接して配置される、請求項２１に記載の建築用パネルを製造する方法。
【発明の詳細な説明】
【技術分野】
【０００１】
本発明は、建築用パネルの枠組みが部屋に面する側と建物に面する側とを有するように、部屋の天井または壁に取り付けられるように適合された建築用パネルに関し、織物が枠組みの部屋に面する側にわたって延ばされ、織物は枠組みに面する第１の表面と、全体に前記部屋から見える第２の表面とを有する。
【背景技術】
【０００２】
このような建築用パネルは、一般的に、例えば講堂、間仕切りのない事務所などの建物の内部表面を覆うために使用され得る。建築やインテリアデザインなどの分野では、部屋内部に配置される天井、壁、仕切り壁などの部屋の境界を覆うためのパネルが必要になることが多い。このようなパネルは、純粋に審美的な目的を果たすことができるが、例えば部屋の音響特性や熱特性に関連して、部屋の特性を積極的に変更するためにも使用され得る。
【０００３】
国際公開第２００５／０７３４８２（Ａ２）号パンフレットは、吊り天井用の建築用パネルのシステムを開示している。各建築用パネルは、輪郭部材によって構成された枠を含み、建築用パネルの部屋に面する側は、輪郭部材の間に吊設された織物によって形成されている。異なる張力システムが開示されており、それによって織物が枠の開口部にわたって均等に引き伸ばされ、したがって部屋から見える滑らかな平らな表面を形成することができる。しかしながら、開示された建築用パネルは滑らかで平らな織物表面が望まれる場合に優れているが、これらの建築用パネルは一般的に、曲線状の織物表面が必要な場合には適していない。一方、これらの建築用パネルを比較的大きくすることが必要な場合、織物を適切に伸ばされた状態に維持するために、それに対応して大きな張力が必要であり、非常に大きい建築用パネルの場合、織物の重量が、必然的に枠の中央領域で織物を押し下げ、平らな織物の表面を達成することができないであろう。
【０００４】
建築およびインテリアデザインの分野では、美的または実用的な目的など、様々な理由で、曲線状および／または非常に大きな建築用パネルが必要になる場合がある。
【先行技術文献】
【特許文献】
【０００５】
【特許文献１】国際公開第２００５／０７３４８２（Ａ２）号パンフレット
【発明の概要】
【０００６】
本発明の目的は、任意の所望のサイズの平らなまたは滑らかな曲線状の織物表面を延ばすのに適した建築用パネルを提供することである。
【０００７】
この目的を考慮して、メッシュは織物の第１の表面上に積層され、メッシュはいくつかのコネクタによって枠組みに取り付けられ、各コネクタはメッシュの部分と織物との間に挿入されたグリッパの形態の第１の端部と、枠組みに取り付けられた第２の端部とを有する。
【０００８】
それにより、メッシュおよびメッシュと積層された織物は、表面輪郭が平坦、凹面または凸面のいずれにせよ、メッシュおよび織物が枠組みの表面輪郭に追従するために、適切な点で枠組みに取り付けられ得る。織物の重量が増加するほど、それに対応して増加した数のコネクタによって担持されるため、枠組みは任意の所望のサイズを有することができる。コネクタの第１の端部を形成するグリッパはメッシュの部分と織物との間に挿入されるため、グリッパは部屋から見ることができない。
【０００９】
一実施形態では、各コネクタの第１および第２の端部は、引張ばねによって相互に結合される。それにより、ばねのばね定数を適合させることにより、メッシュおよび織物は、さらに良好な方法で枠組みの表面輪郭に滑らかに追従することができる。
【００１０】
一実施形態において、各コネクタが、コネクタの第１の端部でグリッパを形成する第１のフックと一体に形成される第１の端部を有し、コネクタの第２の端部で第２のフックと一体に形成される第２の端部を有する引張コイルばねの形態を有し、第２のフックが枠組みに取り付けられている。それにより、ばねコイルの各端部によって形成された第１および第２のフックを有する標準的な引張コイルばねが使用されて、コネクタを形成することができる。
【００１１】
一実施形態では、メッシュは弾性材料から形成され、メッシュは、枠組みに取り付けられる前に弛緩状態にある場合、平坦な表面を形成する。それにより、メッシュおよび織物は、織物の第２の表面に枠組みの部分を見せる可能性がある曲がりまたは折り目を形成することなく、さらに良好な方法で枠組みの表面輪郭に滑らかに追従する。
【００１２】
一実施形態では、メッシュの剛性が、織物の剛性および面積重量に適合されており、その結果、織物の第２の表面が滑らかで均等に延在する。それにより、メッシュおよび織物は、さらに良好な方法で枠組みの表面輪郭に滑らかに追従することができる。
【００１３】
一実施形態では、メッシュは、接着剤によって織物の第１の表面上に積層されており、接着剤は、メッシュ開口部によって覆われた織物を覆わないか、または部分のみを覆う。それにより、織物の細穴が接着剤によって詰まることを回避することができ、したがって、建築用パネルによって建築物の音響および熱的快適性のバランスを取ることが可能になり得る。
【００１４】
一実施形態では、メッシュが、加熱積層によって織物の第１の表面上に積層されており、スリットフィルムネットまたはウェブの形態の熱活性化接着剤が、メッシュと織物との間に配置されている。それにより、織物へメッシュの積層が容易になり、スリットフィルムネットまたはウェブにより、接着剤は、メッシュ開口部によって覆われた織物を覆わないか、または部分のみを覆うことが保証され得る。その結果、上記でも述べたように、織物の細穴が接着剤によって詰まることを回避することができ、したがって、建築用パネルによって建築物の音響および熱的快適性のバランスを取ることが可能になり得る。
【００１５】
一実施形態では、枠組みの部屋に面する側は少なくとも１つの凹面領域を含み、枠組みの部屋に面する側の各凹面領域で、メッシュは少なくとも１つのコネクタによって枠組みに取り付けられる。それにより、様々な曲面を有する建築用パネルを提供することができ、メッシュおよび織物が枠組みの表面輪郭に滑らかに追従することが保証され得る。少なくともメッシュが枠組みの部屋に面する側の周囲の凹面領域内のコネクタによって枠組みに取り付けられるので、枠組みの部屋に面する側の凹面領域では、少なくとも１つのコネクタが、メッシュおよび織物が枠組みの表面輪郭に滑らかに追従することを保証し、枠組みの部屋に面する側の平坦または凸面領域でも、メッシュおよび織物はやはり枠組みの表面輪郭に滑らかに追従することができる。
【００１６】
一実施形態では、織物の第２の表面は少なくとも１つの凹面領域および少なくとも１つの凸面領域を含み、織物の第２の表面の少なくとも各凹面領域で、メッシュは少なくとも１つのコネクタによって枠組みに取り付けられる。
【００１７】
構造的に特に有利な実施形態では、枠組みは、メッシュおよび織物の積層体によって追従される表面輪郭を少なくとも実質的に形成する複数の十字形梁を含む。それにより、十字形梁の間に形成された領域においても、メッシュは、織物が枠組みの表面輪郭に滑らかに追従することを保証することができる。
【００１８】
構造的に特に有利な実施形態では、各梁が、梁の長手方向に互いに離隔配置され、かつコネクタの第２の端部が梁と結合するために係合することができる複数の固定切欠きを備え付ける。それにより、建築用パネルを組み立てる場合、コネクタは適切な位置に簡単に配置されることができ、したがって視覚的フィードバックにより、織物が枠組みの表面輪郭に実際に滑らかに追従することが保証され得る。固定切欠きにより、追加の要素を必要とせずに、コネクタは枠組みと簡単に係合され得る。
【００１９】
構造的に特に有利な実施形態では、各固定切欠きで、コネクタ切欠きが梁の縁部に形成され、前記縁部はメッシュおよび織物の積層体を支持し、コネクタ切欠きは、メッシュを枠組みに取り付けるコネクタを受け取るように適合されている。それにより、各コネクタは固定切欠きとメッシュとの間を自由に延在することができ、それにより、適切な方法でコネクタがメッシュおよび織物に自由に張力をかけることを保証することができ、その結果、メッシュおよび織物は枠組みの表面輪郭に滑らかに追従する。
【００２０】
一実施形態では、枠組みは、輪郭部材によって構成される枠によって囲まれ、各輪郭部材は、輪郭部材の部屋に面する側を輪郭部材の建物に面する側に結合する丸い外縁を有し、織物は、輪郭部材の丸い外縁の周りに曲げられ、織物の縁部は、輪郭部材の建物に面する側に固定されている。それにより、建築用パネルの縁部が滑らかで、織物だけが見えることが保証され得る。
【００２１】
一実施形態では、輪郭部材の丸い外縁の周りに曲げられる織物の縁部が、メッシュと積層されず、その結果、メッシュの縁が輪郭部材の部屋に面する側に隣接して配置される。それにより、メッシュの剛性とは無関係に、織物が輪郭部材の丸い外縁に滑らかに追従することが保証され得る。メッシュおよび織物が枠組みの表面輪郭に滑らかに追従することを保証するために、メッシュがかなり硬いことが好ましい場合があり、この場合、輪郭部材の丸い外縁の周りに曲げられる織物の部分がメッシュと積層されていない場合に特に有利であり得、そうでない場合は、織物が輪郭部材の丸い外縁に滑らかに追従することを保証することが困難または不可能になる可能性がある。
【００２２】
本発明は、建築用パネルの枠組みが部屋に面する側と建物に面する側とを有するように、部屋の天井または壁に取り付けられるように適合された建築用パネルを製造する方法にさらに関し、織物は枠組みの部屋に面する側にわたって延ばされ、織物は、枠組みに面する第１の表面と、全体に前記部屋から見える第２の表面とを有する。
【００２３】
その方法は、枠組みの部屋に面する側にわたって織物を延ばす前に、メッシュが織物の第１の表面上に積層され、それにより枠組みの部屋に面する側に織物を延ばした後、メッシュが複数のコネクタによって枠組みに取り付けられ、それにより各コネクタがメッシュの部分と織物との間に挿入されるグリッパの形態の第１の端部と、枠組みに取り付けられる第２の端部とを有することを特徴とする。それにより、上記の特徴を得ることができる。
【００２４】
一実施形態では、各コネクタの第１および第２の端部は各ばねによって相互に結合され、各ばねは、コネクタによってメッシュを枠組みに取り付けることによって張力がかけられる。それにより、上記の特徴を得ることができる。
【００２５】
一実施形態では、メッシュは、接着剤によって織物の第１の表面上に積層されており、その結果、接着剤は、メッシュ開口部によって覆われた織物を覆わないか、または部分のみを覆う。それにより、上記の特徴を得ることができる。
【００２６】
一実施形態では、メッシュが、加熱積層によって織物の第１の表面上に積層されており、スリットフィルムネットまたはウェブの形態の熱活性化接着剤が、メッシュと織物との間に配置されている。それにより、上記の特徴を得ることができる。
【００２７】
一実施形態では、枠組みの部屋に面する側は少なくとも１つの凹面領域を含み、それにより、枠組みの部屋に面する側の各凹面領域で、メッシュは少なくとも１つのコネクタによって枠組みに取り付けられる。それにより、上記の特徴を得ることができる。
【００２８】
一実施形態では、枠組みが、メッシュおよび織物の積層体によって、追従されるべき表面輪郭を少なくとも実質的に形成する複数の十字形梁を含み、各梁が、梁の長手方向に互いに離隔配置される複数の固定切欠きを備え付け、各コネクタの第２の端部が、梁との結合のために各固定切欠きと係合される。それにより、上記の特徴を得ることができる。
【００２９】
一実施形態では、各固定切欠きで、コネクタ切欠きが梁の縁部に形成され、メッシュおよび織物の積層体は前記縁部によって支持されるように配置され、各コネクタは、メッシュを枠組みに取り付けるために各コネクタ切欠き内に配置される。それにより、上記の特徴を得ることができる。
【００３０】
一実施形態では、枠組みは、輪郭部材によって構成される枠によって囲まれ、各輪郭部材は、輪郭部材の部屋に面する側を輪郭部材の建物に面する側に結合する丸い外縁を有し、織物は、輪郭部材の丸い外縁の周りに曲げられ、織物の縁部は、輪郭部材の建物に面する側に固定されている。それにより、上記の特徴を得ることができる。
【００３１】
好ましくは、織物は、輪郭部材の丸い外縁の周りに曲げられ、コネクタによって枠組みにメッシュを取り付けた後、輪郭部材の建物に面する側に固定される。それにより、織物の縁部が輪郭部材の建物に面する側に固定される前に、メッシュおよび織物のすべての方向の寸法が枠組みの表面輪郭に合致することが保証され得る。それにより、メッシュおよび織物は、枠組みの表面輪郭に滑らかに追従し、織物は、曲がりまたは折り目を形成することなく、輪郭部材の丸い外縁に合致することができる。
【００３２】
一実施形態では、輪郭部材の丸い外縁の周りに織物を曲げる前に、丸い外縁の周りに織物を曲げなければならない織物の縁部がメッシュから剥離され、メッシュの剥離された縁部が切断され、その結果、織物の縁部が丸い外縁の周りに曲げられ、輪郭部材の建物に面する側に固定された場合、メッシュの縁が、輪郭部材の部屋に面する側に隣接して配置される。それにより、上記の特徴を得ることができる。さらに、メッシュおよび織物の寸法は、メッシュおよび織物を枠組みに取り付ける間に、枠組みおよび輪郭部材の丸い外縁に適合させることができ、それにより簡単な方法で正確な寸法が保証され得る。
【００３３】
ここで、非常に概略的な図面を参照して、実施形態の例により以下に本発明がより詳細に説明される。
【図面の簡単な説明】
【００３４】
【図１】本発明による建築用パネルの実施形態の部分の断面図である。
【図２】図１の建築用パネルの部分を上から見た斜視図である。
【図３】図１の建築用パネルの部分を下から見た分解図である。
【図４】本発明による建築用パネルの枠組みの部屋に面する側の斜視図である。
【図５】本発明による建築用パネルのメッシュおよび織物の積層体の部分を上から見た斜視図である。
【図６】図１の建築用パネルの部分の拡大図である。
【図７】図１の建築用パネルの詳細を上から見たより大きな縮尺の斜視図である。
【図８】本発明による建築用パネルのためのメッシュおよび織物の積層のプロセスを示す図である。
【００３５】
図１は、部屋の図示されていない天井または壁に取り付けられるように適合された、本発明による建築用パネル１の一実施形態の部分を示す。部屋に取り付けられた状態では、建築用パネル１は、部屋に面する側３と建物に面する側４とを備える枠組み２を有する。図１では、建築用パネル１は、天井に取り付けられた場合の取り付け位置と比較して上下逆に示されていることに留意されたい。図１の建築用パネルの部分を上から見た斜視図である図２では、パネル１は、天井に取り付けられた場合の正確な取り付け位置で示されている。パネル１の枠組み２は、ブラケット、ワイヤなどの図示しない従来の手段によって天井または壁に取り付けられ得る。枠組み２は、例えば鉱物綿のマットなどの吸音要素を備え付けることができる。
【００３６】
織物５は、枠組み２の部屋に面する側３にわたって延ばされ、織物５は、枠組み２に面する第１の表面６と、パネルが部屋の壁または天井に取り付けられる場合に、全体に部屋から見ることができる第２の表面７とを有する。さらに、織物５を枠組み２の部屋に面する側３にわたって延ばす前に、メッシュ８が織物５の第１の表面６上に積層されている。メッシュ８は、複数のコネクタ９によって枠組み２に取り付けられており、そのうちの１つが図７により詳細に示されている。各コネクタ９は、メッシュ８の部分１２と織物５との間に挿入されたグリッパ１１の形態の第１の端部１０と、枠組み２に取り付けられた第２の端部１３とを有する。図から分かるように、各コネクタ９の第１および第２の端部１０、１３が、取り付けられた状態で張力がかけられているばね１４によって相互に結合されている。
【００３７】
図示の実施形態では、各コネクタ９が、コネクタ９の第１の端部１０でグリッパ１１を形成する第１のフック３４と一体に形成される第１の端部を有し、コネクタ９の第２の端部１３で第２のフック３５と一体に形成される第２の端部を有する標準的な引張コイルばね１５の形態を有し、第２のフック３５が枠組み２に取り付けられている。それにより、好ましくは、ばねコイルを形成する金属糸またはワイヤの各端部によって形成された第１および第２のフックを有する市販の容易に入手可能な標準的な引張コイルばねが使用されて、コネクタ９を形成することができる。
【００３８】
好ましくは、メッシュ８は弾性材料から形成され、枠組み２に取り付けられる前にメッシュ８が弛緩状態にある場合、それは好ましくは平坦な表面を形成する。それにより、メッシュ８および織物５は、織物５の第２の表面７から枠組みの部分を見せる可能性のある曲がりまたは折り目を形成することなく、さらに良好な方法で枠組み２の表面輪郭に滑らかに追従することができる。織物５の第２の表面７が滑らかで均等に延在することを保証するために、メッシュ８の剛性は、織物５の剛性および面重量に有利に適合され得る。
【００３９】
メッシュ８は、例えば、ポリエステルなどのプラスチック材料でできている場合があるが、しかし例えば金属など、主に剛性および面重量の点で適切な任意の材料が採用され得る。有利な実施形態では、メッシュ８はモノフィラメントポリエステルメッシュとして形成され得る。
【００４０】
メッシュ８がモノフィラメントメッシュとして形成される場合、モノフィラメントは、例えば、約０．１ミリメートルから約３．０ミリメートル、好ましくは約０．５ミリメートルから約２．０ミリメートルの直径を有することができる。
【００４１】
モノフィラメントまたはワイヤの直径に関係なく、メッシュ８は、例えば、約１．０ミリメートルから約２０ミリメートル、好ましくは約１．０ミリメートルから約１０ミリメートル、最も好ましくは約３．０ミリメートルから約７ミリメートルの最小開口またはスペースクロスを有することができる。開口またはスペースクロスは、隣接する平行なモノフィラメントまたはワイヤ間の距離として定義される。
【００４２】
枠組み２の部屋に面する側３にわたって延ばされる織物５は、天然または人工繊維、ヤーンまたは糸によって形成された可撓性材料の形態の不織布または織布であることができる。織物９は、好ましくは、空気がそれを通って拡散することを可能にする材料または構造を有する。
【００４３】
好ましくは、メッシュ８が、接着剤１６によって織物５の第１の表面６上に積層されており、接着剤１６が、メッシュ開口部１７によって覆われている織物５を覆わないか、または織物５の部分のみを覆うようにする。メッシュ開口部１７は、図５に最もよく見ることができる。それにより、織物５の細穴が接着剤１６によって詰まることを回避することができ、したがって、建築用パネル１によって建築物の音響および熱的快適性のバランスを取ることが可能になり得る。
【００４４】
図８は、本発明による建築用パネル１のためのメッシュ８および織物５の積層の好ましいプロセスを概略的に示している。図の左側には、織物５のロール３６、またはスリットフィルムネットまたはウェブの形態の熱活性化接着剤１６のロール３７、およびメッシュ８のロール３８が見られる。図の右側には、メッシュ８および織物５の完成した積層体２２のロール３９が見られる。積層プロセス中、織物５、接着剤１６およびメッシュ８の層は、エンドレス圧力ブランケット４０によって互いに押し付けられる。熱活性化接着剤１６は、加熱要素４１によって活性化され、その後、積層体は、ローラ３９に巻き取られる前に、冷却要素４２によって冷却される。前述のように、熱活性化接着剤１６は、スリットフィルムネットまたはウェブの形態を有し、これは、接着剤フィルムの中にスリットが形成されており、それにより、接着剤１６がメッシュ開口部１７によって覆われた織物５を覆わないか、または織物５の部分のみを覆うことを保証することができる開口部を形成することを意味する。その結果、やはり前述のように、織物の細穴が接着剤によって詰まることを回避することができ、したがって、建築用パネル１によって建築物の音響および熱的快適性のバランスを取ることが可能になり得る。もちろん、メッシュ８および織物５の積層の他の様々なプロセスが可能である。例えば、圧力ブランケット４０を使用する代わりに、積層体と直接接触する加熱圧力ローラが使用され得る。
【００４５】
図４に示すように、枠組み２は、メッシュ８および織物５の積層体２２によって追従される表面輪郭２１を少なくとも実質的に形成する複数の十字形梁１９、２０を含む。梁１９、２０は、アルミニウムなどの金属でできていることが好ましい。図示されている実施形態では、梁１９、２０は互いに直角に配置されているが、しかし十字形梁１９、２０間の角度は９０度と異なっていることができる。例えば、角度は約４５度、７０度、または８０度であることができる。図３でさらに見られるように、梁１９、２０が、それぞれ枠組み２の部屋に面する側３および枠組み２の建物に面する側４から梁１９、２０を通って側方に少なくとも概ね中間に延在する各対応するスリット４４を備え付けるという点で、互いに直角に配置された梁１９、２０が互いに結合されている。それにより、それ自体既知の方法で、互いに直角に配置された２つの梁１９、２０の対応するスリット４４で、スリットによって切断されない側方の梁１９、２０の残りの部分４５が、他方の梁１９、２０の対応するスリットと係合することができ、およびその逆もまた同様である。
【００４６】
さらに、図示の実施形態では、互いに直角に配置された２つの梁１９、２０間の結合を強化するために、２つの梁１９、２０の間の結合部に結合部品４６が配置されている。そのような結合部品４６は、傾斜した梁１９、２０の間のすべての結合部、またはいくつかの結合部だけに配置され得る。好ましくは、図２および図３に見られるように、少なくとも枠組み２のコーナー結合部に結合部品４６が配置される。結合部品４６は、互いに対して直角に配置され、それぞれ２つの梁１９、２０の対応する係止スリット４８内に嵌合する２つの係止タブ４７を備え付ける。図２に見られるように、係止タブ４７が対応する係止スリット４８に挿入された場合に、各係止タブ４７の好ましくは先細部分４９が、それ自体既知の方法で係止タブ４７の残りの部分に対して曲げられることが可能であり、それによって、係止タブ４７を係止スリット内に係止する。
【００４７】
図４にさらに見られるように、枠組み２の部屋に面する側３は、メッシュ８および織物５の積層体２２によって少なくとも実質的に追従する表面輪郭２１を形成する。図示の実施形態では、枠組み２の部屋に面する側３は、少なくとも２つの凹面領域１８および少なくとも２つの凸面領域５０を含み、したがって、二重曲率または複合曲率を有すると言うことができる。本発明によれば、メッシュ８は、枠組み２の部屋に面する側３の少なくとも各凹面領域１８に少なくとも配置された少なくとも１つのコネクタ９によって枠組み２に取り付けられることが好ましい。織物５がそれ自体既知の方法で枠組み２の周辺縁部の間で簡単に延ばされ、以下に説明するように、メッシュ８と枠組み２との間にコネクタ９を全く設けずに、織物５が比較的重過ぎないという条件であれば、メッシュ８および織物５は、枠組み２の部屋に面する側３の凸面領域５０または任意の平坦領域を概ね滑らかに追従するが、しかし、メッシュ８および織物５は、枠組み２の部屋に面する側３の凹面領域１８に概ね接触せず、または追従しない。したがって、本発明によれば、メッシュ８は、枠組み２の部屋に面する側３の少なくとも各凹面領域１８に配置された少なくとも１つのコネクタ９によって枠組み２に取り付けられることが好ましい。それにより、織物５が比較的重過ぎないという条件であれば、メッシュ８および織物５は、枠組み２の部屋に面する側３の任意の凹面領域１８、凸面領域および平坦領域に追従することが概ね保証され得る。それにもかかわらず、例えば、織物５および／またはメッシュ８が比較的重い場合、メッシュ８および織物５が枠組み２の表面輪郭２１に滑らかに追従することをさらに良好に保証するために、枠組み２の部屋に面する側３の任意の凸面領域１８または任意の平坦領域内にも少なくとも１つのコネクタ９が配置されることが好ましい可能性がある。
【００４８】
上記で説明したように、本発明は、枠組み２の部屋に面する側３が二重曲率または複合曲率を有する場合に特に有利であることに留意されたいが、しかしながら、メッシュ８および織物５が枠組み２の部屋に面する側３に追従することをさらにより良く保証するために、コネクタ９がいずれの場合にも採用され得るので、本発明は、部屋に面する側３が平坦または凸面のみ、凹面のみ、またはそれらの任意の組み合わせである場合にも等しく応用可能である。
【００４９】
図４に示され、図６および図７に最もよく見えるように、各梁１９、２０は、各梁１９、２０の長手方向に相互に離隔配置される複数の固定切欠き２３を備え付ける。したがって、コネクタ９の第２の端部１３は、各梁１９、２０との結合のために任意の固定切欠き２３と係合することができる。それにより、建築用パネル１を組み立てる場合、コネクタ９は適切な位置に簡単に配置されることができ、したがって視覚的フィードバックにより、織物５が枠組み２の表面輪郭２１に実際に滑らかに追従することが保証され得る。固定切欠き２３により、追加の要素を何ら必要とせずに、コネクタ９は枠組み２と簡単に係合され得る。
【００５０】
さらに、図６および図７でも最もよく見えるように、各固定切欠き２３で、コネクタ切欠き２４が梁１９、２０の縁部２５に形成されることが好ましい。前記縁部２５は、メッシュ８および織物５の積層体２２を支持するように適合され、コネクタ切欠き２４は、メッシュ８を枠組み２に取り付けるコネクタ９を受け取るように適合される。それにより、各コネクタ９は固定切欠き２３とメッシュ８との間を自由に延在することができ、それにより、適切な方法でコネクタ９がメッシュ８および織物５に自由に張力をかけることを保証することができ、その結果、メッシュ８および織物５は枠組みの表面輪郭に滑らかに追従する。コネクタ切欠き２４は、コネクタ９の張力機能に悪影響を与えることなく、コネクタ９を受け取るのに適した任意の形態およびサイズを有することができる。
【００５１】
図１から図３に示すように、枠組み２は、好ましくはアルミニウムなどの金属製の輪郭部材２７、２８によって構成される枠２６によって囲まれることが好ましい。各輪郭部材２７、２８は、輪郭部材２７、２８の部屋に面する側３０を輪郭部材２７、２８の建物に面する側３１に結合する丸い外縁２９を有し、織物５の縁部３２が輪郭部材２７、２８の丸い外縁２９の周りに曲げられ、輪郭部材２７、２８の建物に面する側３１に固定されている。各輪郭部材２７、２８の建物に面する側３１では、鋸歯状トラック５１が輪郭部材２７、２８内で長手方向に延在し、ばねの形態の保持部材５２が鋸歯状トラック５１の中に押し込まれ、それにより織物５の縁部３２の部分を鋸歯状トラック５１の鋸歯状壁に対して挟み、その結果、織物５の縁部３２が輪郭部材２７、２８の建物に面する側３１に固定される。それにより、建築用パネルの縁部が滑らかで、織物だけが見えることが保証され得る。
【００５２】
枠組み２を形成する梁１９、２０の各端部は、各輪郭部材２７、２８の鋸歯状トラック５４の中に挿入されるタブ５３を備え付けるという点で、各輪郭部材２７、２８は枠組み２に取り付けられる。図３に見られるように、好ましくは、例えばアルミニウムでできた押し出された金属輪郭として作製される輪郭部材２７、２８は、各輪郭部材２７、２８の長手方向に互いに離隔配置された複数の側部スリット５５を備え付ける。輪郭部材を撓ませ、曲げることができるために、各側部スリット５５は部分的にだけ各輪郭部材２７、２８を通って延在しており、その結果、輪郭部材は枠組み２の対応する縁部の可能な曲線状の輪郭に追従することができる。図４を参照されたい。図示の実施形態では、各第２の側部スリット５５は、その隣接する側部スリット５５よりも、各輪郭部材２７、２８の断面の大きい方の部分を通って延在する。さらに、側部スリット５５を備え付ける輪郭部材２７、２８の可撓性を補償するために、枠組み２に取り付けられた状態で、ばねスチールから形成されたロッド５６が、輪郭部材２７、２８の中に配置される部分的に開いた丸いチャネル５７の中に挿入され、輪郭部材２７、２８は、輪郭部材２７、２８の鋸歯状トラック５４の底部に、側部スリット５５を備え付ける。このようにして、大量生産される押出輪郭部材２７、２８は、建築用パネル１の実際の枠組み２の所望の曲率に容易に形成され得る。
【００５３】
好ましくは、輪郭部材２７、２８の丸い外縁２９の周りに曲げられる織物５の縁部３２が、メッシュ２８と積層されず、その結果、メッシュ８の縁３３が輪郭部材の部屋に面する側３０に隣接して配置される。このことは、輪郭部材２７、２８の丸い外縁２９の周りに織物５を曲げる前に、前記丸い外縁２９の周りに織物５を曲げなければならない織物５の縁部３２がメッシュ８から剥離され、メッシュ８の剥離された縁部が切断され、その結果、織物５の縁部３２が前記丸い外縁２９の周りに曲げられ、輪郭部材２７、２８の建物に面する側３１に固定された場合、メッシュ８の縁３３が、輪郭部材２７、２８の部屋に面する側３０に隣接して配置されることによって達成されることが好ましい。
【００５４】
すぐ上記に説明したように、輪郭部材２７、２８の丸い外縁２９の周りに曲げられた織物５の縁部３２がメッシュ２８と積層されていない場合、織物５が、メッシュ８の剛性とは無関係に、輪郭部材２７、２８の丸い外縁２９を滑らかに追従することが保証され得る。メッシュ８および織物５が枠組み２の表面輪郭２１に滑らかに追従することを保証するために、メッシュ８がかなり硬いことが好ましい場合があり、この場合、輪郭部材２７、２８の丸い外縁２９の周りに曲げられる織物５の部分３２がメッシュ８と積層されていない場合、特に有利である可能性があり、そうでない場合は、織物５が輪郭部材の丸い外縁２９に滑らかに追従することを保証することが困難または不可能になる可能性さえある。
【００５５】
好ましくは、メッシュ８および織物５を枠組み２の表面輪郭２１に滑らかに追従させるために、第１に、メッシュ８が適切な位置でコネクタ９によって枠組み２に取り付けられ、第２に、織物５が輪郭部材２７、２８の丸い外縁２９の周りに曲げられ、織物５の縁部３２が輪郭部材２７、２８の建物に面する側３１に固定されることに留意されたい。それにより、メッシュ８および織物５を枠組み２に取り付ける間に、メッシュ８および織物５の寸法は、枠組み２および輪郭部材２７、２８の丸い外縁２９に適合させることができ、それにより簡単な方法で正確な寸法が保証され得る。
【符号の説明】
【００５６】
１  建築用パネル
２  枠組み
３  枠組みの部屋に面する側
４  枠組みの建物に面する側
５  織物
６  織物の第１の表面
７  織物の第２の表面
８  メッシュ
９  コネクタ
１０  コネクタの第１の端部
１１  コネクタのグリッパ
１２  メッシュの部分
１３  コネクタの第２の端部
１４  引張ばね
１５  引張コイルばね
１６  接着剤
１７  メッシュ開口部
１８  枠組みの部屋に面する側の凹面領域
１９  枠組みの梁
２０  枠組みの梁
２１  十字形梁によって形成された表面輪郭
２２  積層体
２３  固定切欠き
２４  コネクタ切欠き
２５  梁の縁部
２６  枠
２７  輪郭部材
２８  輪郭部材
２９  輪郭部材の丸い外縁
３０  輪郭部材の部屋に面する側
３１  輪郭部材の建物に面する側
３２  織物の縁部
３３  メッシュの縁
３４  引張コイルばねの第１のフック
３５  引張コイルばねの第２のフック
３６  織物のロール
３７  熱活性化接着剤のロール
３８  メッシュのロール
３９  完成した積層体のロール
４０  圧力ブランケット
４１  加熱要素
４２  冷却要素
４３  圧力ブランケット用ローラ
４４  梁のスリット
４５  側方の梁の残りの部分
４６  結合部品
４７  係止タブ
４８  梁内の係止スリット
４９  係止タブの先細部分
５０  枠組みの部屋に面する側の凸面領域
５１  鋸歯状トラック
５２  保持部材
５３  梁端部のタブ
５４  輪郭部材の鋸歯状トラック
５５  輪郭部材内の側部スリット
５６  ばねスチールから形成されたロッド
５７  部分的に開いた丸いチャネル
５８  輪郭部材のコーナー結合部
【図１】
2020518746.tif 000003
【図２】
2020518746.tif 000004
【図３】
2020518746.tif 000005
【図４】
2020518746.tif 000006
【図５】
2020518746.tif 000007
【図６】
2020518746.tif 000008
【図７】
2020518746.tif 000009
【図８】
2020518746.tif 000010
【国際調査報告】
2020518746.tif 000011
2020518746.tif 000012